(57)【要約】  インパルスレンチであって、ハウジング（１０）、モータ、及びハウジング（１０）の前方端部から延びる出力シャフト（１２）を備え、ハウジング（１０）が、一次パワー制御装置（２０）を作動させるためのトリガー部（１５）を有するピストルグリップハンドル（１１）を含む、インパルスレンチにおいて、モータへのパワー供給の交互制御のためハウジング（１０）の後方端部に補助パワー制御装置（１７）が設けられ、また、ピストルグリップハンドル（１１）の外側端部に接続装置（１３）が設けられており、これによりレンチが「逆さま」の休止位置でオーバーヘッド懸架装置に接続されることを特徴とする。補助パワー制御装置（１７）は、「逆さま」の向きでのパワーレンチの使用を容易にすることが意図されている。【選択図】      図１
2019517394.tif 000002
【特許請求の範囲】
【請求項１】
インパルス型パワーレンチであって、ハウジング（１０）、モータ、及び前記ハウジング（１０）の前方端部から延びる出力シャフト（１２）を備え、前記ハウジング（１０）が、一次パワー制御装置（２０）を作動させるためのトリガー部（１５）を有するピストルグリップハンドル（１１）を含む、インパルス型パワーレンチにおいて、
前記モータへのパワー供給の交互制御のため前記ハウジング（１０）に補助パワー制御装置（１７）が設けられることを特徴とするインパルス型パワーレンチ。
【請求項２】
前記ピストルグリップハンドル（１１）の外側端部に接続装置（１３）が設けられ、該接続装置（１３）は、オーバーヘッド懸架装置に接続されて、これにより前記インパルスレンチを「逆さま」の休止位置で懸架することが意図されている請求項１に記載のインパルスレンチ。
【請求項３】
前記補助パワー制御装置（１７）は、前記ハウジング（１０）の後方端部に配置され、前記出力シャフト（１２）の方向で印加される力によって作動するよう配置された押しボタン（１８）を含む請求項１又は２に記載のインパルスレンチ。
【請求項４】
「順方向」位置と「逆方向」位置との間をシフトさせるための動作モード切換装置（２３）が設けられ、前記補助パワー制御装置（１７）は、前記動作モード切換装置（２３）の「順方向」位置でのみ作動可能であるように構成される請求項１乃至３の何れか１項に記載のインパルスレンチ。
【請求項５】
前記動作モード切換装置（２３）が「順方向」位置をとるときに、前記一次パワー制御装置（２０）を開放位置に保持するため位置保持機構（２８）が設けられる請求項４に記載のインパルスレンチ。
【請求項６】
前記オーバーヘッド懸架装置が、パワー供給導管（２４）を含む請求項２乃至５の何れか１項に記載のインパルスレンチ。
【発明の詳細な説明】
【技術分野】
【０００１】
本発明は、ハウジング、モータ、及び出力シャフトを備え、ハウジングがモータへのパワー供給を制御するためのトリガー部を有するピストルグリップハンドルを含む、インパルス型パワーレンチに関する。
【背景技術】
【０００２】
このタイプのパワーレンチは、一般に、ピストルグリップハンドルの下側又は外側端部に接続されたパワー供給ライン（通常は圧力空気ホース）を介してパワーが供給され、多くの場合、レンチは、上方から延びる圧力空気ホースにて懸架され、重量バランス調整装置に接続されている。このことは、休止位置にあるときのパワーレンチは、ピストルグリップが上方に向いた状態で「逆さま」の向きで懸架されることを意味している。作動させるためには、レンチは、重量バランス調整装置の懸架力に抗して引き下ろされなければならない。
【０００３】
しかしながら、ピストルグリップハンドルを適切に把持できるようにするために、引き下ろしたときにレンチを回転させる代わりに、操作者は、レンチハウジングをその懸架された「逆さま」の向きで後方から把持して、指をピストルグリップハンドルのトリガー部に伸ばしてレンチを始動させる傾向がある。多くのレンチ動作状況では、これは、レンチの位置決めが迅速になり、全体の工具動作時間が短縮されることを意味する。しかしながら、レンチを作動させるためにトリガー部のやや厄介で不快な指の操作が必要とされ、この状況では、レンチを設計する際に当初に費やした人間工学的努力は関係がない。
【０００４】
インパルスレンチは、作動中に何らかの顕著なトルク反作用を引き起こさないので、操作者は、反力を打ち消すために、ピストルグリップでレンチを支持する必要がない。快適か否かにかかわらず、ハウジングを安定して把持できることになる。
【発明の概要】
【発明が解決しようとする課題】
【０００５】
本発明の目的は、「逆さま」の向きでレンチをより快適に取り扱うことができるピストル型インパルスレンチを提供することである。「逆さま」の向きとは、使用時の工具のハンドルが工具モータの下側でなく上側に向いていることを意味する。
【０００６】
本発明の別の目的は、レンチの動作制御手段が「逆さま」の向きでのレンチの使用を容易にするように適合されたピストル型インパルスレンチを提供することである。本発明の更に別の目的は、「逆さま」の向きでのレンチの動作を容易にするために、レンチハウジングに配置された補助パワー制御装置を有するピストル型インパルスレンチを提供することである。
【０００７】
本発明の他の目的及び利点は、以下の明細書及び請求の範囲から明らかになるであろう。
【０００８】
本発明の好ましい実施形態について、添付図面を参照しながら以下で説明する。
【図面の簡単な説明】
【０００９】
【図１】本発明によるインパルス型パワーレンチの側面図である。
【図２ａ】パワーレンチの休止位置を例示した、図１のインパルスレンチのパワー供給システムの概略図である。
【図２ｂ】「順」動作モードを例示した、図２ａのパワー供給システムを示す図である。
【図２ｃ】「逆」動作モードを例示した、図２ａのシステムを示す図である。
【発明を実施するための形態】
【００１０】
図１は、ピストルグリップハンドル１１を備えたハウジング１０を有する空気式インパルスレンチを示し、図示しないインパルスユニットを介して四角頭の出力シャフト１２に駆動可能に接続された空気圧モータを含む。ピストルグリップハンドル１１は、圧力空気供給導管２４を受けるためのソケット１３を有する圧力空気入口通路と、騒音減衰出口部品１４を有する排気通路とを備える。更に、ピストルグリップハンドルは、一次圧力入口バルブを動作させるための指操作トリガー部１５と、「順方向」動作モードと「逆方向」動作モードとの間でモータ動作をシフトさせる方向性バルブとを保持している。方向性バルブは、切換装置（２３）によって作動され、ここではトリガー部１５に近接して配置された回転ノブ１６が配置されている。
【００１１】
一般的な用途では、圧力空気供給導管２４は、重量バランス装置に結合されるオーバーヘッド位置から垂下しているホースの形態であり、圧力空気ホースは、ピストルグリップハンドル１１の外側端部にてソケット１３に接続されている。圧力空気ホースは、オーバーヘッド位置から伸ばされているので、レンチは、ピストルグリップハンドル１１が上方に向いた仰向けの逆さまの位置で懸架されることになる。レンチを作動させるときには、操作者は、回転させるのではなく懸架位置からレンチを引き下ろして、ピストルグリップを操作者がレンチハウジング１０の後方端部を通常把持する「通常」動作位置にして、逆さま位置でレンチの作動を開始し、操作者の指の何れかでトリガー部１５を押してレンチを始動させる。しかしながら、レンチハウジングの後方からトリガー部１５に指を伸ばす追加の手間を必要とするので、この自己選択のレンチ位置は、操作者にとって扱い難く厄介なものである。それにもかかわらず、このレンチの使用方法は、レンチを作動状態にする迅速な手法であり、これにより作動サイクルの全体時間を減少させるので、操作者にとっては依然として好ましいものである。このタイプのレンチでは、反対に作用する顕著なトルク反作用がないので、この例外的なレンチ取り扱い手法は、オペレータにとって許容可能であるだけでなく好ましいものであり、レンチをこのような手動支持及び取り扱い手法に適合させるために、ハウジング１０の後方端部に配置された押しボタン１８により作動する補助パワー制御バルブ１７が設けられている。補助パワー制御バルブ１７の機能については、以下で更に詳細に説明する。
【００１２】
図２ａ〜２ｃには、パワーレンチを２つの異なるモードで、すなわち「順方向」モード及び「逆方向」モードで動作させることができる制御システムが概略的に示されており、ここで、「順方向」モードは、ねじ継手締め付け方向でのレンチモータ１９の回転を意味し、「逆方向」モードは、ねじ継手緩め方向でのレンチモータ１９の回転を意味する。本システムは、圧力空気供給導管２４を介して圧力空気供給源２１に接続され、閉鎖位置と開放位置との間をトリガー部１５によって手動的に作動される一次圧力空気入口バルブ２０を備える。一次圧力空気入口バルブ２０は、バネ２２により閉鎖位置に向けて付勢される。本システムは更に、「順方向」位置と「逆方向」位置との間でシフト可能な方向性バルブ２３の形態のモード切換装置と、上述のような補助パワー制御バルブ１７とを含む。後者は、オン／オフ機能を有し、プッシュボタン１８により閉鎖位置から開放位置に手動でシフト可能である。バネ２５は、バルブ１７を閉鎖位置に向かって付勢するように配置される。本システムは、２つの通路２６，２７によりパワーレンチモータ１９に接続される。
【００１３】
制御システムはまた、一次圧力空気入口バルブ２０と方向性バルブ２３との間に設けられ且つ概略的に例示されている運動伝達位置保持機構２８を備える。この配置は、操作者が一次圧力空気入口バルブ２０をシフトするのを必要とせずに、補助パワー制御バルブ１７をレンチの「順方向」動作モードで使用することを可能にすることが意図されている。
【００１４】
図面にて例示されるように、保持機構２８は、方向性バルブ２３に接続され且つ方向性バルブの運動方向に延びる細長部材３０を備える。この部材３０は、ヒール部３１と、２つの離間した窪み３３，３４とを備え、ヒール部３１は、入口バルブ２０に保持されるフック３２と協働するように配置される。左方向すなわち「順方向」位置に方向性バルブ２３をシフトさせると、ヒール部３１がフック３２と係合して、入口バルブ２０を開放位置にする。２つの窪み３３，３４は、バネ付勢プランジ３５によって交互に係合されて、方向性バルブ２３の保持及び位置定義動作を成し遂げることが意図されている。この保持機構により、方向性バルブは、２つの動作位置の何れか一方に保持されることになる。保持機構はまた、「順方向」位置における方向性バルブ２３と開放位置における入口バルブ２０の両方を保持する保持手段として機能する。一次圧力空気入口バルブ２０を開放位置で保持することは、ヒール部３１とフック３２の間の係合によって達成される。パワーレンチの「逆方向」動作モードでは、方向性バルブ２３は、右側位置に置かれ、それによりヒール部３１は、フック３２との係合が外れて移動し、一次圧力空気入口バルブ２０が自由に閉鎖位置に戻ることができる。
【００１５】
補助パワー制御バルブ１７は、一次圧力空気入口バルブ２０が開放位置で保持されているときに「順方向」動作モードでレンチ動作を制御するよう動作するが、「逆方向」動作モードにおいてパワー制御への何らかの影響もなくバイパスされる。図２ｃを参照されたい。
【００１６】
従って、この補助パワー制御バルブ１７の構成から十分な恩恵を得るためには、トリガー操作された一次圧力空気入口バルブ２０は、「順方向」動作モードにて保持機構２８によって開位置に保持され、これは、操作者がトリガー部１５を操作してパワーレンチを作動させる必要がないことを意味する。「順方向」よりも使用頻度は遙かに少ない「逆方向」動作モードでは、一次圧力空気入口バルブ２０は、ロック解除のままであり、パワーレンチの動作を始動及び制御するのに当初意図されたようにトリガー部１５によって動作することができる。
【００１７】
本発明の実施形態は、上述の実施例に限定されず、請求項の範囲内で自在に変更できることは理解されたい。例えば、一次圧力空気入口バルブ２０及び補助パワー制御バルブ１７は、上述のようなバネではなく空気圧力によって閉鎖位置に向けて確実に付勢することができる。また、運動伝達位置保持機構２８は、例示され上記で記載されたものとは全く異なる設計のものとすることができるが、全く同じ機能を提供すべきである。
【００１８】
本発明は、空気圧インパルスレンチに関連して説明したが、電気式インパルスレンチに関しても同様に適用することができる。またその場合、パワーレンチは、オーバーヘッド重量バランス調整装置にて逆さまの向きで懸架され、意図した作業を実施するため所定位置で操作者によって把持することができる。上述のパワー制御バルブ及び方向性バルブは、当然ながら、保持機構と同様に電子スイッチに置き換えられる。
【符号の説明】
【００１９】
１０  ハウジング
１１  ピストルグリップハンドル
１２  出力シャフト
１３  接続装置
１５  トリガー部
１７  補助パワー制御装置
２０  一次パワー制御装置
【図１】
2019517394.tif 000003
【図２ａ】
2019517394.tif 000004
【図２ｂ】
2019517394.tif 000005
【図２ｃ】
2019517394.tif 000006
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
インパルスレンチであって、ハウジング（１０）、モータ、及び前記ハウジング（１０）の前方端部から延びる出力シャフト（１２）を備え、前記ハウジング（１０）が、一次パワー制御装置（２０）を作動させるためのトリガー部（１５）を有するピストルグリップハンドル（１１）を含み、前記モータへのパワー供給の交互制御のため前記ハウジング（１０）に補助パワー制御装置（１７）が設けられる、インパルスレンチにおいて、
前記補助パワー制御装置（１７）は、前記ハウジング（１０）の後方端部に配置され、前記出力シャフト（１２）の方向で印加される力によって作動するよう配置された押しボタン（１８）を含むことを特徴とする、インパルスレンチ。
【請求項２】
前記ピストルグリップハンドル（１１）の外側端部に接続装置（１３）が設けられ、該接続装置（１３）は、オーバーヘッド懸架装置に接続されて、これにより前記インパルスレンチを「逆さま」の休止位置で懸架することが意図されている請求項１に記載のインパルスレンチ。
【請求項３】
「順方向」位置と「逆方向」位置との間をシフトさせるための動作モード切換装置（２３）が設けられ、前記補助パワー制御装置（１７）は、前記動作モード切換装置（２３）の「順方向」位置でのみ作動可能であるように構成される請求項１乃至２の何れか１項に記載のインパルスレンチ。
【請求項４】
前記動作モード切換装置（２３）が「順方向」位置をとるときに、前記一次パワー制御装置（２０）を開放位置に保持するため位置保持機構（２８）が設けられる請求項３に記載のインパルスレンチ。
【請求項５】
前記オーバーヘッド懸架装置が、パワー供給導管（２４）を含む請求項２乃至４の何れか１項に記載のインパルスレンチ。
【国際調査報告】
2019517394.tif 000007
2019517394.tif 000008